【手続補正書】
【提出日】平成18年11月7日(2006.11.7)
【手続補正１】
【補正対象書類名】特許請求の範囲
【補正対象項目名】請求項１２
【補正方法】変更
【補正の内容】
【請求項１２】
表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記表示装置に送信し、
上記表示装置は、上記リモコンより送信されたリモコンコードを上記ＡＶスイッチに転送し、
上記ＡＶスイッチは、上記表示装置より転送されたリモコンコードに基づき、上記複数の映像機器のうちの上記リモコンに対応する映像機器を表示部に接続する、
ことを特徴とするＡＶシステム。
【手続補正２】
【補正対象書類名】特許請求の範囲
【補正対象項目名】請求項１３
【補正方法】変更
【補正の内容】
【請求項１３】
表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記表示装置に送信し、
上記表示装置は、上記リモコンより送信されたリモコンコードを上記ＡＶスイッチに転送し、
上記ＡＶスイッチは、上記表示装置より転送されたリモコンコードにヘッダを付加して上記各映像機器に一斉に送信し、
上記各映像機器は、上記ＡＶスイッチより出力された信号のリモコンコードに含まれるメーカー識別情報、または機器識別情報に基づいて該リモコンコードが自分宛であるかを判断し、自分宛であると判断した場合は自機器を上記表示装置の表示部に接続するよう上記ＡＶスイッチに指示する、
ことを特徴とするＡＶシステム。
【手続補正３】
【補正対象書類名】特許請求の範囲
【補正対象項目名】請求項１４
【補正方法】変更
【補正の内容】
【請求項１４】
表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、
上記リモコンは、そのリモコンボタンの押下に応じてリモコンコードを上記表示装置に送信し、
上記表示装置は、上記リモコンより送信されたリモコンコードを上記ＡＶスイッチに転送し、
上記ＡＶスイッチは、上記表示装置より転送されたリモコンコードにヘッダを付加して上記各映像機器に一斉に送信し、
上記各映像機器は、上記ＡＶスイッチより出力された信号のヘッダに含まれる機器アドレスからリモコンコードが自分宛であるかを判断し、自分宛であると判断した場合は上記リモコンコードに含まれるリモコンコマンドに従って動作する、
ことを特徴とするＡＶシステム。
【手続補正４】
【補正対象書類名】明細書
【補正対象項目名】００１７
【補正方法】変更
【補正の内容】
【００１７】
また、本発明の請求項１２にかかるＡＶシステムは、表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記表示装置に送信し、上記表示装置は、上記リモコンより送信されたリモコンコードを上記ＡＶスイッチに転送し、上記ＡＶスイッチは、上記表示装置より転送されたリモコンコードに基づき、上記複数の映像機器のうちの上記リモコンに対応する映像機器を表示部に接続する、ことを特徴とするものである。
これにより、各映像機器に付属したリモコンをディスプレイに向けて操作することができ、かつ該リモコンに対応した映像機器を自動的に選択することができる。
【手続補正５】
【補正対象書類名】明細書
【補正対象項目名】００１８
【補正方法】変更
【補正の内容】
【００１８】
また、本発明の請求項１３にかかるＡＶシステムは、表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記表示装置に送信し、上記表示装置は、上記リモコンより送信されたリモコンコードを上記ＡＶスイッチに転送し、上記ＡＶスイッチは、上記表示装置より転送されたリモコンコードにヘッダを付加して上記各映像機器に一斉に送信し、上記各映像機器は、上記ＡＶスイッチより出力された信号のリモコンコードに含まれるメーカー識別情報、または機器識別情報に基づいて該リモコンコードが自分宛であるかを判断し、自分宛であると判断した場合は自機器を上記表示装置の表示部に接続するよう上記ＡＶスイッチに指示する、ことを特徴とするものである。
これにより、各映像機器に付属したリモコンをディスプレイに向けて操作することができ、かつ該リモコンに対応した映像機器を自動的に選択することができる。
【手続補正６】
【補正対象書類名】明細書
【補正対象項目名】００１９
【補正方法】変更
【補正の内容】
【００１９】
また、本発明の請求項１４にかかるＡＶシステムは、表示装置と、上記表示装置に接続されるＡＶスイッチと、上記ＡＶスイッチに接続される複数の映像機器と、上記複数の映像機器の各々を制御するための該各映像機器に対応するリモコンとで構成されるＡＶシステムにおいて、上記リモコンは、そのリモコンボタンの押下に応じてリモコンコードを上記表示装置に送信し、上記表示装置は、上記リモコンより送信されたリモコンコードを上記ＡＶスイッチに転送し、上記ＡＶスイッチは、上記表示装置より転送されたリモコンコードにヘッダを付加して上記各映像機器に一斉に送信し、上記各映像機器は、上記ＡＶスイッチより出力された信号のヘッダに含まれる機器アドレスからリモコンコードが自分宛であるかを判断し、自分宛であると判断した場合は上記リモコンコードに含まれるリモコンコマンドに従って動作する、ことを特徴とするものである。
これにより、各映像機器に付属したリモコンをディスプレイに向けて操作することができ、かつ該リモコンに対応した映像機器を簡単に制御することができる。
【手続補正７】
【補正対象書類名】明細書
【補正対象項目名】０１２８
【補正方法】変更
【補正の内容】
【０１２８】
本実施の形態６によるＡＶシステムの構成を図９に示す。図９については上記実施の形態２で説明したので、ここではその説明を省略する。
なお、本実施の形態6では、図１９に示すベンダーＩＤ一覧テーブルと、図２０に示す機器アドレス一覧テーブルは、ＡＶスイッチ２０７のメモリ部２１１に予め格納されている。
【手続補正８】
【補正対象書類名】明細書
【補正対象項目名】０１４６
【補正方法】変更
【補正の内容】
【０１４６】
本実施の形態８によるＡＶシステムの構成を図９に示す。なお、図９については上記実施の形態２で説明したので、ここではその説明を省略する。
なお、本実施の形態８では、図１９に示すベンダーＩＤ一覧テーブルと、図２０に示す機器アドレス一覧テーブルは、ＡＶスイッチ２０７のメモリ部２１１に予め格納されている。
【手続補正９】
【補正対象書類名】明細書
【補正対象項目名】０１５６
【補正方法】変更
【補正の内容】
【０１５６】
なお、上記実施の形態７，８では、リモコンコードが自分宛であるかを確認する際、リモコンコードに含まれるメーカーコード、及び機器コードを用いる場合について説明したが、ヘッダに含まれる機器アドレス、及びリモコンコードに含まれるメーカーコードに対応するベンダーＩＤを用いて確認するようにしても良い。